(57)【要約】      （修正有）【課題】 放熱器の枠フレームに対する高さ調整可能な放熱モジュールの提供。【解決手段】固定フレーム２、放熱器３を備え、該固定フレームは枠フレーム内側に放熱器上面３２を押さえる１以上のガード部及び凸ブロックを設ける。該ガード部と凸ブロックは上下高さを設けて平行に、かつ位置を違えて配置され、凸ブロックは該放熱器の外周に形成された凹溝に嵌合し、これと位置を違えたガード部により放熱器の上面３２を押圧し、その状態で発熱部品上に放熱器を押圧固定する。また、放熱器の固定高さを変える場合は、放熱器を反転してその凹溝の位置を凸ブロックに対応しない位置とすることにより、該ガード部と凸ブロックの上下高さ分高さを変えて該ガード部により放熱器上面３２を押圧して固定する。【選択図】図２
0003139868.tif 000002
【実用新案登録請求の範囲】
【請求項１】
固定フレーム、放熱器からなる放熱モジュールにおいて、
該固定フレーム内側に１以上のガード部及び凸ブロックを設け、
該凸ブロックは、該ガード部に接して、高さの差を設けると共に位置をずらして配置し、
該放熱器外周には上記ガード部に対応して凹溝を開設し、
該放熱器が該固定フレームの枠内に嵌入することにより、該凹溝を該凸ブロックに嵌合させると共に該放熱器の上面を該ガード部により上方より押圧して発熱部品上に押圧固定させ、
上記該放熱器を180度反転させた位置においてその凹溝が凸ブロックの位置を外れることにより、放熱器上面を該固定フレームの該凸ブロックにより上方から押圧せしめることにより、
該放熱器の固定高さを変えることを可能としたことを特徴とする固定高さ変換可能な放熱モジュール。
【請求項２】
前記放熱器に開設する凹溝の幅は該凸ブロックの外形サイズよりやや大きいことを特徴とする請求項１記載の固定高さ変換可能な放熱モジュール。
【請求項３】
前記固定フレームの放熱器を囲むサポートフレーム上には該放熱器を支持する定位部を設けて、これにより該放熱器を係合固定すると共に設置した放熱器の脱落を防止することを特徴とする請求項１記載の固定高さ変換可能な放熱モジュール。
【考案の詳細な説明】
【技術分野】
【０００１】
本考案は、固定高さを変換可能な放熱モジュールに関する。特に、電子放熱設備の放熱モジュールメカニズムに応用される固定高さ変換可能な放熱モジュールに係る。
【背景技術】
【０００２】
電子情報製品（コンピュータ等）の使用は日増しに普及し、応用もますます広範に渡るようになっている。電子情報産業技術の発展を迅速に牽引するため、その動作演算速度の向上、読取り保存容量は増加の一途を辿っており、これにより電子情報製品中のパーツは高速作動時に高熱を発するようになっている。
コンピュータの本体においては、内部のCPUが発生する熱量がその全熱量の大部分を占める。しかし、ＣＰＵは発熱量の増加と共に動作性能は低下し、しかも熱量がその許容限度まで累積すると、コンピュータはフリーズしてしまい、ひどい時には損傷に及ぶこともある。しかも電磁波放射の問題を解決するため、通常は機体ケースにより該コンピュータ本体を覆うため、いかにしてＣＰＵ及びその他発熱パーツ（或いは部品）の熱エネルギーを迅速に導出するかが、重要な課題となっている。
一般のＣＰＵが用いる放熱方式は、その上方に放熱器（heat sink）を設置するものである。該放熱器の片側にはフィンを設置し、該放熱器の反対側（フィンを未設置）の表面は前記ＣＰＵに直接接触し、これにより熱エネルギーは上記フィン側に伝導される。さらに、放射放熱或いは別に設置するファンにより気流を強制的に駆動させ、熱エネルギーを迅速に発散させる。
公知の放熱モジュールの立体組合せ図である図１に示すように、公知の放熱モジュール1は、固定フレーム11及び放熱フィン12により構成する。該固定フレーム11は枠フレーム体で、該枠フレームの上縁にはカバー縁111を設け、該放熱フィン12の上端面121を覆い、これにより該固定フレーム11を該放熱フィン12上に設置し、さらにコンピュータのボード上に固定する。
しかし、公知の放熱モジュール1の固定フレーム11は、固定された高度の組合せ型態しか提供することができないため、放熱フィン12上端面121と固定フレーム1のカバー縁111間の距離を適度に調整することはできない。このため、応用において不便で、しかも応用上の必要があれば異なる固定フレーム11と放熱フィン12を別に購入しなければならない。これでは経済効果が低く、この欠点に対しては改良の必要がある。
【特許文献１】特開２００７−２７３９３０号公報
【特許文献２】特開２００７−２７３９４３号公報
【考案の開示】
【考案が解決しようとする課題】
【０００３】
本考案が解決しようとする課題は、上記構造の問題点を解決した定位変換可能な放熱モジュールを提供するものである。本考案人は上記公知構造の各欠点に対して、心智を注ぎ、当業界における多年にわたる従事経験、絶えず向上を目指す精神を以って、たゆまぬ研究改良と考案の理念を堅持し、ついに本考案の定位変換可能な放熱モジュールの開発に成功した。
【課題を解決するための手段】
【０００４】
上記課題を解決するため、本考案は下記の定位変換可能な放熱モジュールを提供する。
それは固定フレーム及び放熱器を含み、
該固定フレーム上には少なくとも１個のガード部及び凸ブロックを設置し、
該放熱器は周囲に開設する凹溝を運用し、該放熱器の反転動作を行い、該凹溝を該凸ブロックと結合させるか否かを選択可能で、該ガード部或いは該凸ブロックにより該固定フレームの下方へのスライドを制限可能で、
こうして該放熱器と該固定フレームの相互組合せ時の両者間の距離は、本考案が設置するガード部と凸ブロックの設置により調整可能となり、これにより単一固定フレームが多様な応用を備えるという効果を達成し、しかも公知技術の欠点を解決することができる。
【考案の効果】
【０００５】
上記のように、本考案は放熱器の周囲に開設する凹溝を運用し、放熱器の反転動作を行い、凹溝を凸ブロックと結合させるか否かを選択可能で、ガード部或いは凸ブロックにより固定フレームの下方へのスライドを制限可能することができ、放熱器と固定フレームの相互組合せ時の両者間の距離は調整可能となる。すなわち、本考案構造は単一固定フレームが多様な応用を備えるという効果を達成することができる。
【考案を実施するための最良の形態】
【０００６】
上記目的及び機能と効果を達成するため、本考案が採用する技術手段及び構造について、以下に図を用い、最適実施例について詳細に説明する。
本考案の立体分解図、メカニズム指示図、立体組合せ図である図2、4、5、6に示すように、放熱モジュールAは固定フレーム2及び放熱器3により構成する。
該固定フレーム2は、方型枠体で、枠体の外周囲にはサポートフレーム24を設置する。該サポートフレーム24内には弾性を備えた部品である固定部品（図示なし）を設け、これにより該固定フレーム2は該放熱器3上に設置され、該固定部品により該放熱器3は本体ボード上に設置される。
該固定フレーム2は、枠フレーム内側にガード部21、凸ブロック22を設け、該ガード部21は該固定フレーム2上端面23と面一、或いは該上端面23よりやや低く配置される。該ガード部21に接する下側には凸ブロック22を設け、両者は平行面を形成すると共にその位置を交錯して相互に高さBを隔て配置される（図３参照）。
【０００７】
該放熱器3の外周に少なくとも１つの凹溝（切り欠き部）31を開設し、該凹溝31内に該凸ブロック22を嵌合する。該放熱器3は、上面32と該固定フレーム2に設けられたガード部21或いは凸ブロック22により上部を押さえられ、該固定フレーム2の下方への凹溝を制限し、こうして該固定フレーム2は、該放熱器3上に設置される。
第一の組合せ状態時には、該放熱器3周囲の凹溝31と枠フレームの該凸ブロック22は相対して、該凸ブロック22は該凹溝31中に嵌合して該凹溝31と結合する。このようして該放熱器3上面32を該ガード部21が方から押さえ、かつ該固定フレーム2が下方へずれることを抑制して、該固定フレーム2は安定して該放熱器3上に設置される。
【０００８】
第二の組合せ状態において、該放熱器3と該固定フレーム2間の距離を適当に調整する時には、該放熱器3上縁32を180度反転させ、該放熱器下縁33を反転させて上向きにする（図４参照）。これにより該放熱器3上に開設される凹溝32と枠フレームの凸ブロック22は位置を入れ替えて、対応しなくなる。こうして該放熱器下面33は、該凸ブロック22下側からあてがわれて、該放熱器3の下面33と該固定フレーム2の上端面23にはBその厚さに相当する間隔距離が形成される。
該固定フレーム2上には該ガード部21と該凸ブロック22を設け、該放熱器3上には該凹溝31を開設する構造により、公知の放熱モジュールでは該放熱器3と該放熱ファン間の距離を調整することができなかった点を確実に改善することができる。
【０００９】
上記のように、本考案は固定フレーム2に設けされたガード部21或いは凸ブロック22両者の間に高さの差（厚さ）を設けることにより、ガード部21或いは凸ブロック22に厚さ分だけ上下位置調整ができ、該固定フレーム2上端面23と放熱器3上縁32両者の間隔の高さを調整する。こうして固定フレーム2と放熱器3間の間隔を調整可能とする機能と効果を確実に達成することができる。
さらに、本考案の固定フレーム2のサポートフレーム24上には定位部25を設け、これにより該放熱器3を係合し、セットした放熱器3の脱落を防止することもできる。
上記は本考案の最適実施例に過ぎず、本考案を限定するものではない。本考案の構想に従い行う改変、本考案の精神を脱しない範囲内で行われる構造形態或いは設置型態に対する変換における各種変化、修飾、応用、それにより発生する同等効果はすべて本考案の保護範囲に含む。
本考案の定位変換可能な放熱モジュールは使用時に、その機能と効果及び目的を確実に実現可能であるため、実用性に優れた考案であり、実用新案の申請要件を満たしている。
【図面の簡単な説明】
【００１０】
【図１】公知の放熱モジュールの立体組合せ図である。
【図２】本考案の立体分解図である。
【図３】図２中２Ａ位置の拡大図である。
【図４】本考案のメカニズム指示図である。
【図５】本考案の立体組合せ図である。
【図６】本考案の別種の立体組合せ図である。
【符号の説明】
【００１１】
A  放熱モジュール
B  高度
1  放熱モジュール
11  固定フレーム
112  カバー縁
12  放熱フィン
121  上端面
2  固定フレーム
21  ガード部
22  凸ブロック
23  上端面
24  サポートフレーム
25  定位部
3  放熱器
31  凹溝
32  上縁
33  下縁
【図１】
0003139868.tif 000003
【図２】
0003139868.tif 000004
【図３】
0003139868.tif 000005
【図４】
0003139868.tif 000006
【図５】
0003139868.tif 000007
【図６】
0003139868.tif 000008